(57)【要約】  ＬＥＤ照明調光回路は、第１の出力端子に一端が接続され、第２の出力端子に他端が接続されたコンデンサと、コンデンサの他端に一端が接続されたコイルと、コイルの他端に一端が接続されたスイッチ素子と、スイッチ素子の他端に一端が接続され、接地端子に他端が接続された抵抗と、電源端子にカソードが接続され、コイルの他端にアノードが接続されたダイオードと、ＬＥＤ素子の調光率を示す調光信号に応じて、スイッチ制御信号によりスイッチ素子の動作を制御する制御回路と、を備える。  調光は、５つのモードで行う。すなわち、最大電流でＬＥＤ素子を発光させる最大電流モードと、ピーク電流を下げて調光を行う周波数変調モードと、オフ幅を固定してオン幅のみ狭めるオフ幅固定モードと、オフ幅を伸ばして、オン幅を狭めるオフ幅変調モードと、最小電流でＬＥＤ素子を発光させる最小電流モードと、の５つのモードを連続して実行する。
2014061115.tif 000002
【特許請求の範囲】
【請求項１】
ＬＥＤ素子の調光を制御するＬＥＤ照明調光回路であって、
電源電圧が供給される電源端子と、
接地に接続される接地端子と、
前記電源端子に接続され、且つ前記ＬＥＤ素子のアノード側が接続される第１の出力端子と、
前記ＬＥＤ素子のカソード側が接続される第２の出力端子と、
前記第１の出力端子に一端が接続され、前記第２の出力端子に他端が接続されたコンデンサと、
前記コンデンサの他端に一端が接続されたコイルと、
前記コイルの他端に一端が接続されたスイッチ素子と、
前記スイッチ素子の他端に一端が接続され、前記接地端子に他端が接続された抵抗と、
前記電源端子にカソードが接続され、前記コイルの他端にアノードが接続されたダイオードと、
前記ＬＥＤ素子の調光率を示す調光信号に応じて、スイッチ制御信号により前記スイッチ素子の動作を制御する制御回路と、を備え、
前記制御回路は、
前記調光信号が第１の調光率を示す第１のモードにおいて、前記スイッチ素子をオンするオン期間と前記スイッチ素子をオフするオフ期間からなるスイッチング周期を固定し、
前記調光信号が前記第１の調光率から前記第１の調光率よりも低い第２の調光率までの第１の調光区間の調光率を示す第２のモードにおいて、前記調光信号が示す調光率が低下する場合、前記スイッチング周期を、前記オン期間と前記オフ期間の比率を維持したまま、小さくし、
前記調光信号が前記第２の調光率から前記第２の調光率よりも低い第３の調光率までの第２の調光区間の調光率を示す第３のモードにおいて、前記調光信号が示す調光率が低下する場合、前記オフ期間を固定したまま、前記オン期間を短くする
ことを特徴とするＬＥＤ照明調光回路。
【請求項２】
前記制御回路は、
前記第２のモードにおいて、前記調光信号が示す調光率が上昇する場合、前記スイッチング周期を、前記オン期間と前記オフ期間の比率を維持したまま、大きくする
ことを特徴とする請求項１に記載のＬＥＤ照明調光回路。
【請求項３】
前記制御回路は、
前記第３のモードにおいて、前記調光信号が示す調光率が上昇する場合、前記オフ期間を固定したまま、前記オン期間を長くする
ことを特徴とする請求項１に記載のＬＥＤ照明調光回路。
【請求項４】
前記制御回路は、
前記調光信号が前記第３の調光率から前記第３の調光率よりも低い第４の調光率までの第３の調光区間の調光率を示す第４のモードにおいて、前記調光信号が示す調光率が低下する場合、前記オン期間を短くしつつ、前記オフ期間を長くする
ことを特徴とする請求項１に記載のＬＥＤ照明調光回路。
【請求項５】
前記制御回路は、
前記第４のモードにおいて、前記調光信号が示す調光率が上昇する場合、前記オン期間を長くしつつ、前記オフ期間を短くする
ことを特徴とする請求項４に記載のＬＥＤ照明調光回路。
【請求項６】
前記制御回路は、
前記調光信号が前記第４の調光率の調光率を示す第５のモードにおいて、前記オン期間を固定し、且つ前記オフ期間を前記第４のモードにおけるオフ期間よりも長い期間に固定する
ことを特徴とする請求項４に記載のＬＥＤ照明調光回路。
【請求項７】
前記制御回路は、前記第１のモードから前記第２のモードに移行する場合、前記スイッチング周期を、前記オン期間と前記オフ期間の比率を維持したまま、小さくし、前記第２のモードから前記第３のモードに移行する場合、前記オフ期間を固定したまま、前記オン期間を短くする
ことを特徴とする請求項１に記載のＬＥＤ照明調光回路。
【請求項８】
前記制御回路は、
前記第２のモードから前記第１のモードに移行する場合、前記スイッチング周期を、前記オン期間と前記オフ期間の比率を維持したまま、大きくする
ことを特徴とする請求項２に記載のＬＥＤ照明調光回路。
【請求項９】
前記制御回路は、
前記第３のモードから前記第２のモードに移行する場合、前記オフ期間を固定したまま、前記オン期間を長くする
ことを特徴とする請求項３に記載のＬＥＤ照明調光回路。
【請求項１０】
前記制御回路は、
前記第３のモードから前記第４のモードに移行する場合、前記オン期間を短くしつつ、前記オフ期間を長くする
ことを特徴とする請求項４に記載のＬＥＤ照明調光回路。
【請求項１１】
前記制御回路は、前記第４のモードから前記第３のモードに移行する場合、前記オン期間を長くしつつ、前記オフ期間を短くする
ことを特徴とする請求項５に記載のＬＥＤ照明調光回路。
【請求項１２】
前記制御回路は、
前記第４のモードから前記第５のモードに移行する場合、前記オン期間を維持したまま、前記オフ期間を前記第４のモードにおけるオフ期間よりも長い期間にし、
前記第５のモードから前記第４のモードに移行する場合、前記オン期間を維持したまま、前記オフ期間を前記第５のモードにおけるオフ期間よりも短い期間にする
ことを特徴とする請求項６に記載のＬＥＤ照明調光回路。
【請求項１３】
前記第１のモードにおける前記第１の調光率に対応する前記スイッチング周期の逆数であるスイッチング周波数は、可聴周波数より高い
ことを特徴とする請求項１に記載のＬＥＤ照明調光回路。
【請求項１４】
ＬＥＤ素子の調光を制御するＬＥＤ照明調光回路であって、電源電圧が供給される電源端子と、接地に接続される接地端子と、前記電源端子に接続され、且つ前記ＬＥＤ素子のアノード側が接続される第１の出力端子と、前記ＬＥＤ素子のカソード側が接続される第２の出力端子と、前記第１の出力端子に一端が接続され、前記第２の出力端子に他端が接続されたコンデンサと、前記コンデンサの他端に一端が接続されたコイルと、前記コイルの他端に一端が接続されたスイッチ素子と、前記スイッチ素子の他端に一端が接続され、前記接地端子に他端が接続された抵抗と、前記電源端子にカソードが接続され、前記コイルの他端にアノードが接続されたダイオードと、前記ＬＥＤ素子の調光率を示す調光信号に応じて、スイッチ制御信号により前記スイッチ素子の動作を制御する制御回路と、を備えるＬＥＤ照明調光回路によるＬＥＤ照明調光方法であって、
前記調光信号が第１の調光率を示す第１のモードにおいて、前記スイッチ素子をオンするオン期間と前記スイッチ素子をオフするオフ期間からなるスイッチング周期を固定し、
前記調光信号が前記第１の調光率から前記第１の調光率よりも低い第２の調光率までの第１の調光区間の調光率を示す第２のモードにおいて、前記調光信号が示す調光率が低下する場合、前記スイッチング周期を、前記オン期間と前記オフ期間の比率を維持したまま、小さくし、
前記調光信号が前記第２の調光率から前記第２の調光率よりも低い第３の調光率までの第２の調光区間の調光率を示す第３のモードにおいて、前記調光信号が示す調光率が低下する場合、前記オフ期間を固定したまま、前記オン期間を短くする
ことを特徴とするＬＥＤ照明調光方法。
【発明の詳細な説明】
【技術分野】
【０００１】
本発明は、ＬＥＤ照明調光回路、および、ＬＥＤ照明調光方法に関する発明である。
【背景技術】
【０００２】
従来、例えば、特開２００９−１２３６８１号公報、および特開２０１２−５９６６２号公報に記載のように、ＬＥＤ素子の調光を制御するＬＥＤ照明調光回路１００Ａがある（図４）。【０００３】
このＬＥＤ照明調光回路１００Ａは、抵抗Ｒ１と、電源２にアノードが接続されたＬＥＤ素子４のカソードにコレクタが接続されたバイポーラトランジスタＱ１と、バイポーラトランジスタＱ１のエミッタと接地との間に接続された定電流回路６と、調光器１が出力した調光信号に応じて、バイポーラトランジスタＱ１と定電流回路６を制御するマイコン５と、を備える（図４）。【０００４】
このＬＥＤ照明調光回路１００Ａにより、電流臨界モードで定電流制御を行う場合、バイポーラトランジスタＱ１を制御して、ピーク電流を下げて調光（リニア調光）を行う。【０００５】
しかし、上記従来のＬＥＤ照明調光回路１００Ａでは、電流臨界モードで定電流制御を行う場合、ピーク電流を下げて調光（リニア調光）を行うと、バイポーラトランジスタＱ１のスイッチング周波数が高くなってしまう。【０００６】
そして、スイッチング周波数が高くなると、ノイズが大きくなったり、効率が落ちたりする等、様々な問題がある。【０００７】
調光を行わない時のスイッチング周波数を低く設定する方法もあるが、可聴周波数以下には出来ないため実際の調光範囲は限られている。【０００８】
また、その時のスイッチング周波数を低く設定するとトランスなどの部品が大きくなり好ましくない。
【発明の開示】
【０００９】
本発明の一態様に係る実施例に従ったＬＥＤ照明調光回路は、
ＬＥＤ素子の調光を制御するＬＥＤ照明調光回路であって、
電源電圧が供給される電源端子と、
接地に接続される接地端子と、
前記電源端子に接続され、且つ前記ＬＥＤ素子のアノード側が接続される第１の出力端子と、
前記ＬＥＤ素子のカソード側が接続される第２の出力端子と、
前記第１の出力端子に一端が接続され、前記第２の出力端子に他端が接続されたコンデンサと、
前記コンデンサの他端に一端が接続されたコイルと、
前記コイルの他端に一端が接続されたスイッチ素子と、
前記スイッチ素子の他端に一端が接続され、前記接地端子に他端が接続された抵抗と、
前記電源端子にカソードが接続され、前記コイルの他端にアノードが接続されたダイオードと、
前記ＬＥＤ素子の調光率を示す調光信号に応じて、スイッチ制御信号により前記スイッチ素子の動作を制御する制御回路と、を備え、
前記制御回路は、
前記調光信号が第１の調光率を示す第１のモードにおいて、前記スイッチ素子をオンするオン期間と前記スイッチ素子をオフするオフ期間からなるスイッチング周期を固定し、
前記調光信号が前記第１の調光率から前記第１の調光率よりも低い第２の調光率までの第１の調光区間の調光率を示す第２のモードにおいて、前記調光信号が示す調光率が低下する場合、前記スイッチング周期を、前記オン期間と前記オフ期間の比率を維持したまま、小さくし、
前記調光信号が前記第２の調光率から前記第２の調光率よりも低い第３の調光率までの第２の調光区間の調光率を示す第３のモードにおいて、前記調光信号が示す調光率が低下する場合、前記オフ期間を固定したまま、前記オン期間を短くする
ことを特徴とする。
【００１０】
前記ＬＥＤ照明調光回路において、
前記制御回路は、
前記第２のモードにおいて、前記調光信号が示す調光率が上昇する場合、前記スイッチング周期を、前記オン期間と前記オフ期間の比率を維持したまま、大きくする
ことを特徴とする。
【００１１】
前記ＬＥＤ照明調光回路において、
前記制御回路は、
前記第３のモードにおいて、前記調光信号が示す調光率が上昇する場合、前記オフ期間を固定したまま、前記オン期間を長くする
ことを特徴とする。
【００１２】
前記ＬＥＤ照明調光回路において、
前記制御回路は、
前記調光信号が前記第３の調光率から前記第３の調光率よりも低い第４の調光率までの第３の調光区間の調光率を示す第４のモードにおいて、前記調光信号が示す調光率が低下する場合、前記オン期間を短くしつつ、前記オフ期間を長くする
ことを特徴とする。
【００１３】
前記ＬＥＤ照明調光回路において、
前記制御回路は、
前記第４のモードにおいて、前記調光信号が示す調光率が上昇する場合、前記オン期間を長くしつつ、前記オフ期間を短くする
ことを特徴とする。
【００１４】
前記ＬＥＤ照明調光回路において、
前記制御回路は、
前記調光信号が前記第４の調光率の調光率を示す第５のモードにおいて、前記オン期間を固定し、且つ前記オフ期間を前記第４のモードにおけるオフ期間よりも長い期間に固定する
ことを特徴とする。
【００１５】
前記ＬＥＤ照明調光回路において、
前記制御回路は、前記第１のモードから前記第２のモードに移行する場合、前記スイッチング周期を、前記オン期間と前記オフ期間の比率を維持したまま、小さくし、前記第２のモードから前記第３のモードに移行する場合、前記オフ期間を固定したまま、前記オン期間を短くする
ことを特徴とする。
【００１６】
前記ＬＥＤ照明調光回路において、
前記制御回路は、
前記第２のモードから前記第１のモードに移行する場合、前記スイッチング周期を、前記オン期間と前記オフ期間の比率を維持したまま、大きくする
ことを特徴とする。
【００１７】
前記ＬＥＤ照明調光回路において、
前記制御回路は、
前記第３のモードから前記第２のモードに移行する場合、前記オフ期間を固定したまま、前記オン期間を長くする
ことを特徴とする。
【００１８】
前記ＬＥＤ照明調光回路において、
前記制御回路は、
前記第３のモードから前記第４のモードに移行する場合、前記オン期間を短くしつつ、前記オフ期間を長くする
ことを特徴とする。
【００１９】
前記ＬＥＤ照明調光回路において、
前記制御回路は、前記第４のモードから前記第３のモードに移行する場合、前記オン期間を長くしつつ、前記オフ期間を短くする
ことを特徴とする。
【００２０】
前記ＬＥＤ照明調光回路において、
前記制御回路は、
前記第４のモードから前記第５のモードに移行する場合、前記オン期間を維持したまま、前記オフ期間を前記第４のモードにおけるオフ期間よりも長い期間にし、
前記第５のモードから前記第４のモードに移行する場合、前記オン期間を維持したまま、前記オフ期間を前記第５のモードにおけるオフ期間よりも短い期間にする
ことを特徴とする。
【００２１】
前記ＬＥＤ照明調光回路において、
前記第１のモードにおける前記第１の調光率に対応する前記スイッチング周期の逆数であるスイッチング周波数は、可聴周波数より高い
ことを特徴とする。
【００２２】
ＬＥＤ素子の調光を制御するＬＥＤ照明調光回路であって、電源電圧が供給される電源端子と、接地に接続される接地端子と、前記電源端子に接続され、且つ前記ＬＥＤ素子のアノード側が接続される第１の出力端子と、前記ＬＥＤ素子のカソード側が接続される第２の出力端子と、前記第１の出力端子に一端が接続され、前記第２の出力端子に他端が接続されたコンデンサと、前記コンデンサの他端に一端が接続されたコイルと、前記コイルの他端に一端が接続されたスイッチ素子と、前記スイッチ素子の他端に一端が接続され、前記接地端子に他端が接続された抵抗と、前記電源端子にカソードが接続され、前記コイルの他端にアノードが接続されたダイオードと、前記ＬＥＤ素子の調光率を示す調光信号に応じて、スイッチ制御信号により前記スイッチ素子の動作を制御する制御回路と、を備えるＬＥＤ照明調光回路によるＬＥＤ照明調光方法であって、
前記調光信号が第１の調光率を示す第１のモードにおいて、前記スイッチ素子をオンするオン期間と前記スイッチ素子をオフするオフ期間からなるスイッチング周期を固定し、
前記調光信号が前記第１の調光率から前記第１の調光率よりも低い第２の調光率までの第１の調光区間の調光率を示す第２のモードにおいて、前記調光信号が示す調光率が低下する場合、前記スイッチング周期を、前記オン期間と前記オフ期間の比率を維持したまま、小さくし、
前記調光信号が前記第２の調光率から前記第２の調光率よりも低い第３の調光率までの第２の調光区間の調光率を示す第３のモードにおいて、前記調光信号が示す調光率が低下する場合、前記オフ期間を固定したまま、前記オン期間を短くする
ことを特徴とする。
【００２３】
本発明に係るＬＥＤ照明調光回路では、調光時にスイッチング周波数が高くなりすぎないようにスイッチ素子のオフ幅を変調させ、限られた周波数範囲で最大の調光範囲を可能にする。
【００２４】
調光は、５つのモードで行う。すなわち、最大電流でＬＥＤ素子を発光させる最大電流モードと、ピーク電流を下げて調光を行う周波数変調モードと、オフ幅を固定してオン幅のみ狭めるオフ幅固定モードと、オフ幅を伸ばして、オン幅を狭めるオフ幅変調モードと、最小電流でＬＥＤ素子を発光させる最小電流モードと、の５つのモードを連続して実行する。
【００２５】
このように、スイッチ素子のオン幅を狭めながら同時にスイッチ素子のオフ幅を広げると、周波数変動範囲を狭くすることができる。
【００２６】
そして、調光率が低い時（暗い時）にスイッチング周波数を下げる制御であるため可聴周波数に近くなる時は、電流（エネルギー）は最小となっている。
【００２７】
したがって、ＬＥＤ照明調光回路のスイッチ素子のスイッチングに起因する音はユーザに聞こえにくくなる。
【００２８】
一方、従来技術では、電流（エネルギー）が最大の時に可聴周波数に近くなるため、ＬＥＤ照明調光回路のスイッチ素子のスイッチングに起因する音はユーザに聞こえやすい。
【００２９】
以上のように、本発明に係るＬＥＤ照明調光回路は、狭い周波数変動範囲で広い調光範囲を実現できる。
【００３０】
特に、効率が良く、ノイズが少ない電流臨界モードの利点を生かしつつ、周波数変動を小さくすることができる。
【図面の簡単な説明】
【００３１】
【図１】図１は、本発明の一態様である実施例１に係るＬＥＤ照明調光回路１００の構成の一例を示す図である。
【図２】図２は、図１に示すＬＥＤ照明調光回路１００の各モードにおける動作波形の一例を示す図である。
【図３】図３は、図１に示すＬＥＤ照明調光回路１００および従来のＬＥＤ照明調光回路の調光率とスイッチング周波数と関係を示す特性図である。
【図４】図４は、従来のＬＥＤ照明調光回路１００Ａの構成の一例を示す図である。
【発明を実施するための最良の形態】
【００３２】
以下、本発明に係る各実施例について図面に基づいて説明する。
【実施例１】
【００３３】
図１は、本発明の一態様である実施例１に係るＬＥＤ照明調光回路１００の構成の一例を示す図である。また、図２は、図１に示すＬＥＤ照明調光回路１００の各モードにおける動作波形の一例を示す図である。【００３４】
図１に示すように、ＬＥＤ照明調光回路１００は、電源端子ＴＢと、接地端子ＴＥと、第１の出力端子ＴＯＵＴ１と、第２の出力端子ＴＯＵＴ２と、コンデンサＣと、コイルＬと、抵抗Ｒと、スイッチ素子ＳＷと、制御回路ＣＯＮと、を備える。    
電源端子ＴＢは、電源電圧が供給されるようになっている。この電源端子ＴＢにバッテリ（電源）Ｂの正極が接続される。【００３５】
接地端子ＴＥは、接地に接続されるようになっている。この接地端子ＴＥにバッテリ（電源）Ｂの負極が接続される。【００３６】
第１の出力端子ＴＯＵＴ１は、電源端子ＴＢに接続され、且つＬＥＤ素子Ａのアノード側が接続されるようになっている。【００３７】
第２の出力端子ＴＯＵＴ２は、ＬＥＤ素子Ａのカソード側が接続されるようになっている。【００３８】
コンデンサＣは、第１の出力端子ＴＯＵＴ１に一端が接続され、第２の出力端子ＴＯＵＴ２に他端が接続されている。【００３９】
コイルＬは、コンデンサＣの他端に一端が接続されている。【００４０】
スイッチ素子ＳＷは、コイルＬの他端に一端が接続されている。【００４１】
抵抗Ｒは、スイッチ素子ＳＷの他端に一端が接続され、接地端子ＴＥに他端が接続されている。【００４２】
ダイオードＤは、電源端子ＴＢにカソードが接続され、コイルＬの他端にアノードが接続されている。【００４３】
制御回路ＣＯＮは、ＬＥＤ素子Ａの調光率を示す調光信号ＲＥＦに応じて、スイッチ制御信号ＧＡＴＥによりスイッチ素子ＳＷの動作を制御するようになっている。なお、スイッチ素子ＳＷは、例えば、コイルＬの他端に一端が接続され、抵抗Ｒの一端に他端が接続され、上記スイッチ制御信号ＧＡＴＥがゲートに供給されるＭＯＳトランジスタ（図１の例では、ｎＭＯＳトランジスタ）である。【００４４】
ここで、例えば、制御回路ＣＯＮは、調光信号ＲＥＦが第１の調光率ｘ１を示す第１のモード（最大電流モード）Ｍ１において（図２の時刻ｔａ以前）、スイッチ素子ＳＷをオンするオン期間ｔ１とスイッチ素子ＳＷをオフするオフ期間ｔ２からなるスイッチング周期を固定するようになっている。【００４５】
そして、第１のモードＭ１における第１の調光率ｘ１に対応するスイッチング周期の逆数であるスイッチング周波数は、可聴周波数より高くなるように設定されている。【００４６】
なお、第１の調光率ｘ１は、例えば、１００％である。【００４７】
また、制御回路ＣＯＮは、調光信号ＲＥＦが第１の調光率ｘ１から第１の調光率ｘ１よりも低い第２の調光率ｘ２までの第１の調光区間Ｉ１の調光率を示す第２のモード（周波数変調モード）Ｍ２において（図２の時刻ｔａ〜時刻ｔｂ）、調光信号ＲＥＦが示す調光率が低下する場合、スイッチング周期を、オン期間ｔ１とオフ期間ｔ２の比率を維持したまま、小さくするようになっている。【００４８】
なお、制御回路ＣＯＮは、この第２のモードＭ２において、調光信号ＲＥＦが示す調光率が上昇する場合、スイッチング周期を、オン期間ｔ１とオフ期間ｔ２の比率を維持したまま、大きくするようになっている。【００４９】
なお、制御回路ＣＯＮは、第１のモードＭ１から第２のモードＭ２に移行する場合、スイッチング周期を、オン期間ｔ１とオフ期間ｔ２の比率を維持したまま、小さくするようになっている。【００５０】
一方、制御回路ＣＯＮは、第２のモードＭ２から第１のモードＭ１に移行する場合、スイッチング周期を、オン期間ｔ１とオフ期間ｔ２の比率を維持したまま、大きくするようになっている。【００５１】
また、制御回路ＣＯＮは、調光信号ＲＥＦが第２の調光率ｘ２から第２の調光率ｘ２よりも低い第３の調光率ｘ３までの第２の調光区間Ｉ２の調光率を示す第３のモード（オフ幅固定モード）Ｍ３において（図２の時刻ｔｂ〜時刻ｔｃ）、調光信号ＲＥＦが示す調光率が低下する場合、オフ期間ｔ２を固定したまま、オン期間ｔ１を短くするようになっている。【００５２】
なお、制御回路ＣＯＮは、この第３のモードＭ３において、調光信号ＲＥＦが示す調光率が上昇する場合、オフ期間ｔ２を固定したまま、オン期間ｔ１を長くするようになっている。【００５３】
なお、制御回路ＣＯＮは、第２のモードＭ２から第３のモードＭ３に移行する場合、オフ期間ｔ２を固定したまま、オン期間ｔ１を短くするようになっている。【００５４】
一方、制御回路ＣＯＮは、第３のモードＭ３から第２のモードＭ２に移行する場合、オフ期間ｔ２を固定したまま、オン期間ｔ１を長くするようになっている。【００５５】
また、制御回路ＣＯＮは、調光信号ＲＥＦが第３の調光率ｘ３から第３の調光率ｘ３よりも低い第４の調光率ｘ４までの第３の調光区間Ｉ３の調光率を示す第４のモード（オフ幅変調モード）Ｍ４において（図２の時刻ｔｃ〜時刻ｔｄ）、調光信号ＲＥＦが示す調光率が低下する場合、オン期間ｔ１を短くしつつ、オフ期間ｔ２を長くするようになっている。【００５６】
なお、制御回路ＣＯＮは、この第４のモードＭ４において、調光信号ＲＥＦが示す調光率が上昇する場合、オン期間ｔ１を長くしつつ、オフ期間ｔ２を短くするようになっている。【００５７】
なお、制御回路ＣＯＮは、第３のモードＭ３から第４のモードＭ４に移行する場合、オン期間ｔ１を短くしつつ、オフ期間ｔ２を長くするようになっている。【００５８】
一方、制御回路ＣＯＮは、第４のモードＭ４から第３のモードＭ３に移行する場合、オン期間ｔ１を長くしつつ、オフ期間ｔ２を短くするようになっている。【００５９】
なお、第４の調光率ｘ４は、例えば、０％から１％の間の値（図２の例では、０．２％）である。【００６０】
また、制御回路ＣＯＮは、調光信号ＲＥＦが第４の調光率ｘ４の調光率を示す第５のモード（最小電流モード）Ｍ５において（図２の時刻ｔｄ以降）、オン期間ｔ１を固定し、且つオフ期間ｔ２を第４のモードＭ４におけるオフ期間ｔ２よりも長い期間に固定するようになっている。【００６１】
なお、制御回路ＣＯＮは、第４のモードＭ４から第５のモードＭ５に移行する場合、オン期間ｔ１を維持したまま、オフ期間ｔ２を第４のモードＭ４におけるオフ期間ｔ２よりも長い期間にするようになっている。【００６２】
一方、制御回路ＣＯＮは、第５のモードＭ５から第４のモードＭ４に移行する場合、オン期間ｔ１を維持したまま、オフ期間ｔ２を第５のモードＭ５におけるオフ期間ｔ２よりも短い期間にするようになっている。【００６３】
以上のように、ＬＥＤ照明調光回路１００は、調光信号ＲＥＦに応じて、ＬＥＤ素子Ａの調光を制御するようになっている。なお、調光信号ＲＥＦは、例えば、使用者の操作に応じてマイコン（図示せず）から出力される。【００６４】
次に、以上のような構成を有するＬＥＤ照明調光回路１００の動作の一例について説明する。【００６５】
例えば、図２の時刻ｔａ以前では、制御回路ＣＯＮは、制御モードが第１のモード（最大電流モード）Ｍ１になる。そして、制御回路ＣＯＮは、スイッチ素子ＳＷをオンするオン期間ｔ１とスイッチ素子ＳＷをオフするオフ期間ｔ２からなるスイッチング周期を固定する。【００６６】
そして、制御回路ＣＯＮは、第１のモードＭ１から第２のモードＭ２に移行する場合（時刻ｔａ）、スイッチング周期を、オン期間ｔ１とオフ期間ｔ２の比率を維持したまま、小さくする。【００６７】
次に、図２の時刻ｔａ〜時刻ｔｂでは、制御回路ＣＯＮは、制御モードが第２のモード（周波数変調モード）Ｍ２になる。そして、制御回路ＣＯＮは、調光信号ＲＥＦが示す調光率が低下する場合、スイッチング周期を、オン期間ｔ１とオフ期間ｔ２の比率を維持したまま、小さくする。【００６８】
なお、既述のように、制御回路ＣＯＮは、この第２のモードＭ２において、調光信号ＲＥＦが示す調光率が上昇する場合、スイッチング周期を、オン期間ｔ１とオフ期間ｔ２の比率を維持したまま、大きくする。【００６９】
また、既述のように、制御回路ＣＯＮは、第２のモードＭ２から第１のモードＭ１に移行する場合、スイッチング周期を、オン期間ｔ１とオフ期間ｔ２の比率を維持したまま、大きくする。【００７０】
そして、制御回路ＣＯＮは、第２のモードＭ２から第３のモードＭ３に移行する場合（時刻ｔｂ）、オフ期間ｔ２を固定したまま、オン期間ｔ１を短くする。【００７１】
次に、図２の時刻ｔｂ〜時刻ｔｃでは、制御回路ＣＯＮは、制御モードが第３のモード（オフ幅固定モード）Ｍ３になる。そして、制御回路ＣＯＮは、調光信号ＲＥＦが示す調光率が低下する場合、オフ期間ｔ２を固定したまま、オン期間ｔ１を短くする。【００７２】
なお、既述のように、制御回路ＣＯＮは、この第３のモードＭ３において、調光信号ＲＥＦが示す調光率が上昇する場合、オフ期間ｔ２を固定したまま、オン期間ｔ１を長くする。【００７３】
また、既述のように、制御回路ＣＯＮは、第３のモードＭ３から第２のモードＭ２に移行する場合、オフ期間ｔ２を固定したまま、オン期間ｔ１を長くするようになっている。【００７４】
そして、制御回路ＣＯＮは、第３のモードＭ３から第４のモードＭ４に移行する場合（時刻ｔｃ）、オン期間ｔ１を短くしつつ、オフ期間ｔ２を長くする。【００７５】
次に、図２の時刻ｔｃ〜時刻ｔｄでは、制御回路ＣＯＮは、制御モードが第４のモード（オフ幅変調モード）Ｍ４になる。そして、制御回路ＣＯＮは、調光信号ＲＥＦが示す調光率が低下する場合、オン期間ｔ１を短くしつつ、オフ期間ｔ２を長くする。【００７６】
なお、既述のように、制御回路ＣＯＮは、この第４のモードＭ４において、調光信号ＲＥＦが示す調光率が上昇する場合、オン期間ｔ１を長くしつつ、オフ期間ｔ２を短くする。【００７７】
なお、既述のように、制御回路ＣＯＮは、第４のモードＭ４から第３のモードＭ３に移行する場合、オン期間ｔ１を長くしつつ、オフ期間ｔ２を短くする。【００７８】
そして、制御回路ＣＯＮは、第４のモードＭ４から第５のモードＭ５に移行する場合（時刻ｔｄ）、オン期間ｔ１を維持したまま、オフ期間ｔ２を第４のモードＭ４におけるオフ期間ｔ２よりも長い期間にする。【００７９】
次に、図２の時刻ｔｄ以降では、制御回路ＣＯＮは、制御モードが第５のモード（最小電流モード）Ｍ５になる。そして、制御回路ＣＯＮは、オン期間ｔ１を固定し、且つオフ期間ｔ２を第４のモードＭ４におけるオフ期間ｔ２よりも長い期間に固定する。【００８０】
なお、既述のように、制御回路ＣＯＮは、第５のモードＭ５から第４のモードＭ４に移行する場合、オン期間ｔ１を維持したまま、オフ期間ｔ２を第５のモードＭ５におけるオフ期間ｔ２よりも短い期間にする。【００８１】
ここで、図３は、図１に示すＬＥＤ照明調光回路１００および従来のＬＥＤ照明調光回路の調光率とスイッチング周波数と関係を示す特性図である。【００８２】
図３に示す従来のＬＥＤ照明調光回路では、調光率の大きさに拘わらず、周波数変調モードを採用している。すなわち、従来のＬＥＤ照明調光回路では、調光率が低下する場合、スイッチング周期を、オン期間とオフ期間の比率を維持したまま、小さくし、一方、調光率が上昇する場合、スイッチング周期を、オン期間とオフ期間の比率を維持したまま、大きくする。【００８３】
したがって、調光率が０％に近づくと、スイッチング周波数が最大になり（２００ｋＨｚ以上）、調光率が１００％に近づくと、スイッチング周波数が最低になる。【００８４】
すなわち、従来のＬＥＤ照明調光回路では、スイッチ素子のエネルギーが高くなる調光率が１００％近傍で、スイッチング周波数が可聴周波数（例えば、２０ｋＨｚ）より低くなる。【００８５】
したがって、従来のＬＥＤ照明調光回路では、人の耳にスイッチングノイズが聞こえ得る。【００８６】
さらに、従来のＬＥＤ照明調光回路では、調光率が０％近傍で、スイッチング周波数が高く（２００ｋＨｚ以上）なるので、効率が低下するとともにスイッチ素子の制御が困難になる。【００８７】
一方、実施例１に係るＬＥＤ照明調光回路１００では、既述のように、調光率の大きさに合わせて、制御モードを変更している。【００８８】
これにより、図３に示すように、調光率が０％近傍で、スイッチング周波数が低くなり（２０ｋＨｚ程度）、調光率が１００％に近づくと、スイッチング周波数が低くなる（６０ｋＨｚ程度）。図３の例では、スイッチング周波数の最大値でも、１５０ｋＨｚ程度である。【００８９】
すなわち、実施例１のＬＥＤ照明調光回路１００では、スイッチ素子のエネルギーが高くなる調光率が１００％近傍で、スイッチング周波数が可聴周波数（例えば、６０ｋＨｚ）より高くできる。【００９０】
このように、実施例１のＬＥＤ照明調光回路１００では、最大の調光率でスイッチング周波数が可聴周波数（例えば、２０ｋＨｚ）より高くなるように設定されている。【００９１】
以上のように、本発明に係るＬＥＤ照明調光回路では、調光時にスイッチング周波数が高くなりすぎないようにスイッチ素子のオフ幅を変調させ、限られた周波数範囲で最大の調光範囲を可能にする。【００９２】
調光は、５つのモードで行う。すなわち、最大電流でＬＥＤ素子を発光させる最大電流モードと、ピーク電流を下げて調光を行う周波数変調モードと、オフ幅を固定してオン幅のみ狭めるオフ幅固定モードと、オフ幅を伸ばして、オン幅を狭めるオフ幅変調モードと、最小電流でＬＥＤ素子を発光させる最小電流モードと、の５つのモードを連続して実行する。【００９３】
このように、スイッチ素子のオン幅を狭めながら同時にスイッチ素子のオフ幅を広げると、周波数変動範囲を狭くすることができる。【００９４】
そして、調光率が低い時（暗い時）にスイッチング周波数を下げる制御であるため可聴周波数に近くなる時は、電流（エネルギー）は最小となっている。【００９５】
したがって、ＬＥＤ照明調光回路のスイッチ素子のスイッチングに起因する音はユーザに聞こえにくくなる。【００９６】
一方、従来技術では、電流（エネルギー）が最大の時に可聴周波数に近くなるため、ＬＥＤ照明調光回路のスイッチ素子のスイッチングに起因する音はユーザに聞こえやすい。【００９７】
以上のように、本発明に係るＬＥＤ照明調光回路は、狭い周波数変動範囲で広い調光範囲を実現できる。【００９８】
特に、効率が良く、ノイズが少ない電流臨界モードの利点を生かしつつ、周波数変動を小さくすることができる。【００９９】
なお、実施例は例示であり、発明の範囲はそれらに限定されない。【０１００】
また、実施例では、スイッチ素子としてＭＯＳトランジスタを選択した場合について説明したが、バイポーラトランジスタや他のスイッチ素子を選択するようにしてもよい。
【符号の説明】
【０１０１】
１  調光器  
２  電源  
４  ＬＥＤ素子  
５  マイコン  
６  定電流回路  
１００、１００Ａ  ＬＥＤ照明調光回路
Ｂ  バッテリ
Ａ  ＬＥＤ素子
ＴＢ  電源端子
ＴＥ  接地端子
ＴＯＵＴ１  第１の出力端子
ＴＯＵＴ２  第２の出力端子
Ｃ  コンデンサ
Ｌ  コイル
Ｒ、Ｒ１  抵抗
ＳＷ  スイッチ素子
ＣＯＮ  制御回路
Ｑ１  バイポーラトランジスタ  
【図１】
2014061115.tif 000003
【図２】
2014061115.tif 000004
【図３】
2014061115.tif 000005
【図４】
2014061115.tif 000006
【手続補正書】
【提出日】平成25年5月13日(2013.5.13)
【手続補正１】
【補正対象書類名】特許請求の範囲
【補正対象項目名】全文
【補正方法】変更
【補正の内容】
【特許請求の範囲】
【請求項１】
ＬＥＤ素子の調光を制御するＬＥＤ照明調光回路であって、
電源電圧が供給される電源端子と、
接地に接続される接地端子と、
前記電源端子に接続され、且つ前記ＬＥＤ素子のアノード側が接続される第１の出力端子と、
前記ＬＥＤ素子のカソード側が接続される第２の出力端子と、
前記第１の出力端子に一端が接続され、前記第２の出力端子に他端が接続されたコンデンサと、
前記コンデンサの他端に一端が接続されたコイルと、
前記コイルの他端に一端が接続されたスイッチ素子と、
前記スイッチ素子の他端に一端が接続され、前記接地端子に他端が接続された抵抗と、
前記電源端子にカソードが接続され、前記コイルの他端にアノードが接続されたダイオードと、
前記ＬＥＤ素子の調光率を示す調光信号に応じて、スイッチ制御信号により前記スイッチ素子の動作を制御する制御回路と、を備え、
前記制御回路は、
前記調光信号が第１の調光率を示す第１のモードにおいて、前記スイッチ素子をオンするオン期間と前記スイッチ素子をオフするオフ期間からなるスイッチング周期を固定し、
前記調光信号が前記第１の調光率から前記第１の調光率よりも低い第２の調光率までの第１の調光区間の調光率を示す第２のモードにおいて、前記調光信号が示す調光率が低下する場合、前記スイッチング周期を、前記オン期間と前記オフ期間の比率を維持したまま、小さくし、
前記調光信号が前記第２の調光率から前記第２の調光率よりも低い第３の調光率までの第２の調光区間の調光率を示す第３のモードにおいて、前記調光信号が示す調光率が低下する場合、前記オフ期間を固定したまま、前記オン期間を短くし、
前記調光信号が前記第３の調光率から前記第３の調光率よりも低い第４の調光率までの第３の調光区間の調光率を示す第４のモードにおいて、前記調光信号が示す調光率が低下する場合、前記オン期間を短くしつつ、前記オフ期間を長くし、
前記調光信号が前記第４の調光率の調光率を示す第５のモードにおいて、前記オン期間を固定し、且つ前記オフ期間を前記第４のモードにおけるオフ期間よりも長い期間に固定する
ことを特徴とするＬＥＤ照明調光回路。
【請求項２】
前記制御回路は、
前記第２のモードにおいて、前記調光信号が示す調光率が上昇する場合、前記スイッチング周期を、前記オン期間と前記オフ期間の比率を維持したまま、大きくする
ことを特徴とする請求項１に記載のＬＥＤ照明調光回路。
【請求項３】
前記制御回路は、
前記第３のモードにおいて、前記調光信号が示す調光率が上昇する場合、前記オフ期間を固定したまま、前記オン期間を長くする
ことを特徴とする請求項１に記載のＬＥＤ照明調光回路。
【請求項４】
（削除）
【請求項５】
前記制御回路は、
前記第４のモードにおいて、前記調光信号が示す調光率が上昇する場合、前記オン期間を長くしつつ、前記オフ期間を短くする
ことを特徴とする請求項１に記載のＬＥＤ照明調光回路。
【請求項６】
（削除）
【請求項７】
前記制御回路は、前記第１のモードから前記第２のモードに移行する場合、前記スイッチング周期を、前記オン期間と前記オフ期間の比率を維持したまま、小さくし、前記第２のモードから前記第３のモードに移行する場合、前記オフ期間を固定したまま、前記オン期間を短くする
ことを特徴とする請求項１に記載のＬＥＤ照明調光回路。
【請求項８】
前記制御回路は、
前記第２のモードから前記第１のモードに移行する場合、前記スイッチング周期を、前記オン期間と前記オフ期間の比率を維持したまま、大きくする
ことを特徴とする請求項２に記載のＬＥＤ照明調光回路。
【請求項９】
前記制御回路は、
前記第３のモードから前記第２のモードに移行する場合、前記オフ期間を固定したまま、前記オン期間を長くする
ことを特徴とする請求項３に記載のＬＥＤ照明調光回路。
【請求項１０】
前記制御回路は、
前記第３のモードから前記第４のモードに移行する場合、前記オン期間を短くしつつ、前記オフ期間を長くする
ことを特徴とする請求項１に記載のＬＥＤ照明調光回路。
【請求項１１】
前記制御回路は、前記第４のモードから前記第３のモードに移行する場合、前記オン期間を長くしつつ、前記オフ期間を短くする
ことを特徴とする請求項５に記載のＬＥＤ照明調光回路。
【請求項１２】
前記制御回路は、
前記第４のモードから前記第５のモードに移行する場合、前記オン期間を維持したまま、前記オフ期間を前記第４のモードにおけるオフ期間よりも長い期間にし、
前記第５のモードから前記第４のモードに移行する場合、前記オン期間を維持したまま、前記オフ期間を前記第５のモードにおけるオフ期間よりも短い期間にする
ことを特徴とする請求項１に記載のＬＥＤ照明調光回路。
【請求項１３】
前記第１のモードにおける前記第１の調光率に対応する前記スイッチング周期の逆数であるスイッチング周波数は、可聴周波数より高い
ことを特徴とする請求項１に記載のＬＥＤ照明調光回路。
【請求項１４】
ＬＥＤ素子の調光を制御するＬＥＤ照明調光回路であって、電源電圧が供給される電源端子と、接地に接続される接地端子と、前記電源端子に接続され、且つ前記ＬＥＤ素子のアノード側が接続される第１の出力端子と、前記ＬＥＤ素子のカソード側が接続される第２の出力端子と、前記第１の出力端子に一端が接続され、前記第２の出力端子に他端が接続されたコンデンサと、前記コンデンサの他端に一端が接続されたコイルと、前記コイルの他端に一端が接続されたスイッチ素子と、前記スイッチ素子の他端に一端が接続され、前記接地端子に他端が接続された抵抗と、前記電源端子にカソードが接続され、前記コイルの他端にアノードが接続されたダイオードと、前記ＬＥＤ素子の調光率を示す調光信号に応じて、スイッチ制御信号により前記スイッチ素子の動作を制御する制御回路と、を備えるＬＥＤ照明調光回路によるＬＥＤ照明調光方法であって、
前記調光信号が第１の調光率を示す第１のモードにおいて、前記スイッチ素子をオンするオン期間と前記スイッチ素子をオフするオフ期間からなるスイッチング周期を固定し、
前記調光信号が前記第１の調光率から前記第１の調光率よりも低い第２の調光率までの第１の調光区間の調光率を示す第２のモードにおいて、前記調光信号が示す調光率が低下する場合、前記スイッチング周期を、前記オン期間と前記オフ期間の比率を維持したまま、小さくし、
前記調光信号が前記第２の調光率から前記第２の調光率よりも低い第３の調光率までの第２の調光区間の調光率を示す第３のモードにおいて、前記調光信号が示す調光率が低下する場合、前記オフ期間を固定したまま、前記オン期間を短くし、
前記調光信号が前記第３の調光率から前記第３の調光率よりも低い第４の調光率までの第３の調光区間の調光率を示す第４のモードにおいて、前記調光信号が示す調光率が低下する場合、前記オン期間を短くしつつ、前記オフ期間を長くし、
前記調光信号が前記第４の調光率の調光率を示す第５のモードにおいて、前記オン期間を固定し、且つ前記オフ期間を前記第４のモードにおけるオフ期間よりも長い期間に固定する
ことを特徴とするＬＥＤ照明調光方法。
【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
ＬＥＤ素子の調光を制御するＬＥＤ照明調光回路であって、
電源電圧が供給される電源端子と、
接地に接続される接地端子と、
前記電源端子に接続され、且つ前記ＬＥＤ素子のアノード側が接続される第１の出力端子と、
前記ＬＥＤ素子のカソード側が接続される第２の出力端子と、
前記第１の出力端子に一端が接続され、前記第２の出力端子に他端が接続されたコンデンサと、
前記コンデンサの他端に一端が接続されたコイルと、
前記コイルの他端に一端が接続されたスイッチ素子と、
前記スイッチ素子の他端に一端が接続され、前記接地端子に他端が接続された抵抗と、
前記電源端子にカソードが接続され、前記コイルの他端にアノードが接続されたダイオードと、
前記ＬＥＤ素子の調光率を示す調光信号に応じて、スイッチ制御信号により前記スイッチ素子の動作を制御する制御回路と、を備え、
前記制御回路は、
前記調光信号が第１の調光率を示す第１のモードにおいて、前記スイッチ素子をオンするオン期間と前記スイッチ素子をオフするオフ期間からなるスイッチング周期を固定し、
前記調光信号が前記第１の調光率から前記第１の調光率よりも低い第２の調光率までの第１の調光区間の調光率を示す第２のモードにおいて、前記調光信号が示す調光率が低下する場合、前記スイッチング周期を、前記オン期間と前記オフ期間の比率を維持したまま、小さくし、
前記調光信号が前記第２の調光率から前記第２の調光率よりも低い第３の調光率までの第２の調光区間の調光率を示す第３のモードにおいて、前記調光信号が示す調光率が低下する場合、前記オフ期間を固定したまま、前記オン期間を短くし、
前記調光信号が前記第３の調光率から前記第３の調光率よりも低い第４の調光率までの第３の調光区間の調光率を示す第４のモードにおいて、前記調光信号が示す調光率が低下する場合、前記オン期間を短くしつつ、前記オフ期間を長くして、スイッチング周波数を可聴周波数に近くなるように下げ、
前記調光信号が前記第４の調光率の調光率を示す第５のモードにおいて、前記オン期間を固定し、且つ前記オフ期間を前記第４のモードにおけるオフ期間よりも長い期間に固定する
ことを特徴とするＬＥＤ照明調光回路。
【請求項２】
前記制御回路は、
前記第２のモードにおいて、前記調光信号が示す調光率が上昇する場合、前記スイッチング周期を、前記オン期間と前記オフ期間の比率を維持したまま、大きくすることを特徴とする請求項１に記載のＬＥＤ照明調光回路。
【請求項３】
前記制御回路は、
前記第３のモードにおいて、前記調光信号が示す調光率が上昇する場合、前記オフ期間を固定したまま、前記オン期間を長くすることを特徴とする請求項１に記載のＬＥＤ照明調光回路。
【請求項４】
前記制御回路は、
前記第４のモードにおいて、前記調光信号が示す調光率が上昇する場合、前記オン期間を長くしつつ、前記オフ期間を短くする
ことを特徴とする請求項１に記載のＬＥＤ照明調光回路。
【請求項５】
前記制御回路は、前記第１のモードから前記第２のモードに移行する場合、前記スイッチング周期を、前記オン期間と前記オフ期間の比率を維持したまま、小さくし、前記第２のモードから前記第３のモードに移行する場合、前記オフ期間を固定したまま、前記オン期間を短くする
ことを特徴とする請求項１に記載のＬＥＤ照明調光回路。
【請求項６】
前記制御回路は、
前記第２のモードから前記第１のモードに移行する場合、前記スイッチング周期を、前記オン期間と前記オフ期間の比率を維持したまま、大きくすることを特徴とする請求項２に記載のＬＥＤ照明調光回路。
【請求項７】
前記制御回路は、
前記第３のモードから前記第２のモードに移行する場合、前記オフ期間を固定したまま、前記オン期間を長くする
ことを特徴とする請求項３に記載のＬＥＤ照明調光回路。
【請求項８】
前記制御回路は、
前記第３のモードから前記第４のモードに移行する場合、前記オン期間を短くしつつ、前記オフ期間を長くする
ことを特徴とする請求項１に記載のＬＥＤ照明調光回路。
【請求項９】
前記制御回路は、前記第４のモードから前記第３のモードに移行する場合、前記オン期間を長くしつつ、前記オフ期間を短くする
ことを特徴とする請求項４に記載のＬＥＤ照明調光回路。
【請求項１０】
前記制御回路は、
前記第４のモードから前記第５のモードに移行する場合、前記オン期間を維持したまま、前記オフ期間を前記第４のモードにおけるオフ期間よりも長い期間にし、
前記第５のモードから前記第４のモードに移行する場合、前記オン期間を維持したまま、前記オフ期間を前記第５のモードにおけるオフ期間よりも短い期間にする
ことを特徴とする請求項１に記載のＬＥＤ照明調光回路。
【請求項１１】
前記第１のモードにおける前記第１の調光率に対応する前記スイッチング周期の逆数であるスイッチング周波数は、可聴周波数より高い
ことを特徴とする請求項１に記載のＬＥＤ照明調光回路。
【請求項１２】
ＬＥＤ素子の調光を制御するＬＥＤ照明調光回路であって、電源電圧が供給される電源端子と、接地に接続される接地端子と、前記電源端子に接続され、且つ前記ＬＥＤ素子のアノード側が接続される第１の出力端子と、前記ＬＥＤ素子のカソード側が接続される第２の出力端子と、前記第１の出力端子に一端が接続され、前記第２の出力端子に他端が接続されたコンデンサと、前記コンデンサの他端に一端が接続されたコイルと、前記コイルの他端に一端が接続されたスイッチ素子と、前記スイッチ素子の他端に一端が接続され、前記接地端子に他端が接続された抵抗と、前記電源端子にカソードが接続され、前記コイルの他端にアノードが接続されたダイオードと、前記ＬＥＤ素子の調光率を示す調光信号に応じて、スイッチ制御信号により前記スイッチ素子の動作を制御する制御回路と、を備えるＬＥＤ照明調光回路によるＬＥＤ照明調光方法であって、
前記調光信号が第１の調光率を示す第１のモードにおいて、前記スイッチ素子をオンするオン期間と前記スイッチ素子をオフするオフ期間からなるスイッチング周期を固定し、
前記調光信号が前記第１の調光率から前記第１の調光率よりも低い第２の調光率までの第１の調光区間の調光率を示す第２のモードにおいて、前記調光信号が示す調光率が低下する場合、前記スイッチング周期を、前記オン期間と前記オフ期間の比率を維持したまま、小さくし、
前記調光信号が前記第２の調光率から前記第２の調光率よりも低い第３の調光率までの第２の調光区間の調光率を示す第３のモードにおいて、前記調光信号が示す調光率が低下する場合、前記オフ期間を固定したまま、前記オン期間を短くし、
前記調光信号が前記第３の調光率から前記第３の調光率よりも低い第４の調光率までの第３の調光区間の調光率を示す第４のモードにおいて、前記調光信号が示す調光率が低下する場合、前記オン期間を短くしつつ、前記オフ期間を長くして、スイッチング周波数を可聴周波数に近くなるように下げ、
前記調光信号が前記第４の調光率の調光率を示す第５のモードにおいて、前記オン期間を固定し、且つ前記オフ期間を前記第４のモードにおけるオフ期間よりも長い期間に固定する
ことを特徴とするＬＥＤ照明調光方法。
【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
ＬＥＤ素子の調光を制御するＬＥＤ照明調光回路であって、
電源電圧が供給される電源端子と、
接地に接続される接地端子と、
前記電源端子に接続され、且つ前記ＬＥＤ素子のアノード側が接続される第１の出力端子と、
前記ＬＥＤ素子のカソード側が接続される第２の出力端子と、
前記第１の出力端子に一端が接続され、前記第２の出力端子に他端が接続されたコンデンサと、
前記コンデンサの他端に一端が接続されたコイルと、
前記コイルの他端に一端が接続されたスイッチ素子と、
前記スイッチ素子の他端に一端が接続され、前記接地端子に他端が接続された抵抗と、
前記電源端子にカソードが接続され、前記コイルの他端にアノードが接続されたダイオードと、
前記ＬＥＤ素子の調光率を示す調光信号に応じて、スイッチ制御信号により前記スイッチ素子の動作を制御する制御回路と、を備え、
前記制御回路は、
前記調光信号が第１の調光率を示す第１のモードにおいて、前記スイッチ素子をオンするオン期間と前記スイッチ素子をオフするオフ期間からなるスイッチング周期を固定することで前記スイッチング周期の逆数であるスイッチング周波数を固定し、
前記調光信号が前記第１の調光率から前記第１の調光率よりも低い第２の調光率までの第１の調光区間の調光率を示す第２のモードにおいて、前記調光信号が示す調光率が低下する場合、前記スイッチング周期を、前記オン期間と前記オフ期間の比率を維持したまま、小さくすることで、前記スイッチング周波数を上げ、
前記調光信号が前記第２の調光率から前記第２の調光率よりも低い第３の調光率までの第２の調光区間の調光率を示す第３のモードにおいて、前記調光信号が示す調光率が低下する場合、前記オフ期間を固定したまま、前記オン期間を短くすることで、前記スイッチング周波数を上げ、
前記調光信号が前記第３の調光率から前記第３の調光率よりも低い第４の調光率までの第３の調光区間の調光率を示す第４のモードにおいて、前記調光信号が示す調光率が低下する場合、前記オン期間を短くしつつ、前記オフ期間を長くして、スイッチング周波数を可聴周波数に近くなるように下げ、
前記調光信号が前記第４の調光率の調光率を示す第５のモードにおいて、前記オン期間を固定し、且つ前記オフ期間を前記第４のモードにおけるオフ期間よりも長い期間に固定することで、前記スイッチング周波数を下げ、
前記第５のモードにおけるスイッチング周波数は、前記第１のモードにおけるスイッチング周波数より低く、前記第２から第４のモードにおけるスイッチング周波数は、前記第１および第５のモードにおけるスイッチング周波数よりも高い、
ことを特徴とするＬＥＤ照明調光回路。
【請求項２】
前記制御回路は、
前記第２のモードにおいて、前記調光信号が示す調光率が上昇する場合、前記スイッチング周期を、前記オン期間と前記オフ期間の比率を維持したまま、大きくすることを特徴とする請求項１に記載のＬＥＤ照明調光回路。
【請求項３】
前記制御回路は、
前記第３のモードにおいて、前記調光信号が示す調光率が上昇する場合、前記オフ期間を固定したまま、前記オン期間を長くすることを特徴とする請求項１に記載のＬＥＤ照明調光回路。
【請求項４】
前記制御回路は、
前記第４のモードにおいて、前記調光信号が示す調光率が上昇する場合、前記オン期間を長くしつつ、前記オフ期間を短くすることを特徴とする請求項１に記載のＬＥＤ照明調光回路。
【請求項５】
前記制御回路は、前記第１のモードから前記第２のモードに移行する場合、前記スイッチング周期を、前記オン期間と前記オフ期間の比率を維持したまま、小さくし、前記第２のモードから前記第３のモードに移行する場合、前記オフ期間を固定したまま、前記オン期間を短くする
ことを特徴とする請求項１に記載のＬＥＤ照明調光回路。
【請求項６】
前記制御回路は、
前記第２のモードから前記第１のモードに移行する場合、前記スイッチング周期を、前記オン期間と前記オフ期間の比率を維持したまま、大きくすることを特徴とする請求項２に記載のＬＥＤ照明調光回路。
【請求項７】
前記制御回路は、
前記第３のモードから前記第２のモードに移行する場合、前記オフ期間を固定したまま、前記オン期間を長くする
ことを特徴とする請求項３に記載のＬＥＤ照明調光回路。
【請求項８】
前記制御回路は、
前記第３のモードから前記第４のモードに移行する場合、前記オン期間を短くしつつ、前記オフ期間を長くする
ことを特徴とする請求項１に記載のＬＥＤ照明調光回路。
【請求項９】
前記制御回路は、前記第４のモードから前記第３のモードに移行する場合、前記オン期間を長くしつつ、前記オフ期間を短くする
ことを特徴とする請求項４に記載のＬＥＤ照明調光回路。
【請求項１０】
前記制御回路は、
前記第４のモードから前記第５のモードに移行する場合、前記オン期間を維持したまま、前記オフ期間を前記第４のモードにおけるオフ期間よりも長い期間にし、
前記第５のモードから前記第４のモードに移行する場合、前記オン期間を維持したまま、前記オフ期間を前記第５のモードにおけるオフ期間よりも短い期間にする
ことを特徴とする請求項１に記載のＬＥＤ照明調光回路。
【請求項１１】
前記第１のモードにおける前記第１の調光率に対応する前記スイッチング周期の逆数であるスイッチング周波数は、可聴周波数より高い
ことを特徴とする請求項１に記載のＬＥＤ照明調光回路。
【請求項１２】
ＬＥＤ素子の調光を制御するＬＥＤ照明調光回路であって、電源電圧が供給される電源端子と、接地に接続される接地端子と、前記電源端子に接続され、且つ前記ＬＥＤ素子のアノード側が接続される第１の出力端子と、前記ＬＥＤ素子のカソード側が接続される第２の出力端子と、前記第１の出力端子に一端が接続され、前記第２の出力端子に他端が接続されたコンデンサと、前記コンデンサの他端に一端が接続されたコイルと、前記コイルの他端に一端が接続されたスイッチ素子と、前記スイッチ素子の他端に一端が接続され、前記接地端子に他端が接続された抵抗と、前記電源端子にカソードが接続され、前記コイルの他端にアノードが接続されたダイオードと、前記ＬＥＤ素子の調光率を示す調光信号に応じて、スイッチ制御信号により前記スイッチ素子の動作を制御する制御回路と、を備えるＬＥＤ照明調光回路によるＬＥＤ照明調光方法であって、
前記調光信号が第１の調光率を示す第１のモードにおいて、前記スイッチ素子をオンするオン期間と前記スイッチ素子をオフするオフ期間からなるスイッチング周期を固定することで前記スイッチング周期の逆数であるスイッチング周波数を固定し、
前記調光信号が前記第１の調光率から前記第１の調光率よりも低い第２の調光率までの第１の調光区間の調光率を示す第２のモードにおいて、前記調光信号が示す調光率が低下する場合、前記スイッチング周期を、前記オン期間と前記オフ期間の比率を維持したまま、小さくすることで、前記スイッチング周波数を上げ、
前記調光信号が前記第２の調光率から前記第２の調光率よりも低い第３の調光率までの第２の調光区間の調光率を示す第３のモードにおいて、前記調光信号が示す調光率が低下する場合、前記オフ期間を固定したまま、前記オン期間を短くすることで、前記スイッチング周波数を上げ、
前記調光信号が前記第３の調光率から前記第３の調光率よりも低い第４の調光率までの第３の調光区間の調光率を示す第４のモードにおいて、前記調光信号が示す調光率が低下する場合、前記オン期間を短くしつつ、前記オフ期間を長くして、スイッチング周波数を可聴周波数に近くなるように下げ、
前記調光信号が前記第４の調光率の調光率を示す第５のモードにおいて、前記オン期間を固定し、且つ前記オフ期間を前記第４のモードにおけるオフ期間よりも長い期間に固定することで、前記スイッチング周波数を下げ、
前記第５のモードにおけるスイッチング周波数は、前記第１のモードにおけるスイッチング周波数より低く、前記第２から第４のモードにおけるスイッチング周波数は、前記第１および第５のモードにおけるスイッチング周波数よりも高い、
ことを特徴とするＬＥＤ照明調光方法。
【国際調査報告】
2014061115.tif 000007
2014061115.tif 000008
2014061115.tif 000009
2014061115.tif 000010